(57)【要約】【課題】送信すべき情報に基づく電界を電界伝達媒体に誘起させるとともに電界伝達媒体に誘起された電界を検出して情報の送受信を行うトランシーバを利用してコンピュータ間の通信を行う場合であっても、利用者が身につけたコンピュータの電池残量を利用者に的確に通知しうるトランシーバ及び電池残量通知システムを提供する。【解決手段】電池残量通知システム１００は、利用者が身につけているウェアラブルコンピュータ３側のトランシーバ１とホストコンピュータ５側のトランシーバ２とを備えており、トランシーバ１がウェアラブルコンピュータ３に関する電池データをトランシーバ２に送信し、トランシーバ２が該電池データ、端末特性データ及び電池特性データに基づいて、電池残量を算出し、算出した電池残量を利用者に通知するようになっているコンピュータシステムである。【選択図】      図１
2004266518.tif 000002
【特許請求の範囲】
【請求項１】
送信すべき情報に基づく電界を電界伝達媒体に誘起させるとともにこの誘起した電界を検出して情報の送受信を行うトランシーバにおいて、
前記トランシーバに接続されて、利用者が備えているコンピュータの電池に関する電池情報を記憶している電池情報記憶手段と、
前記電池情報を基に電池残量を算出する他のトランシーバに前記電池情報を送信する電池情報送信手段と、
を有することを特徴とするトランシーバ。
【請求項２】
前記他のトランシーバから送信された前記コンピュータの前記電池残量を抽出する電池残量抽出手段と、
前記電池残量を前記利用者に通知する電池残量通知手段と、
を有することを特徴とする請求項１記載のトランシーバ。
【請求項３】
送信すべき情報に基づく電界を電界伝達媒体に誘起させるとともにこの誘起した電界を検出して情報の送受信を行うトランシーバにおいて、
利用者が備えているコンピュータの電池に関する電池情報を前記コンピュータに接続されている他のトランシーバから受信し、抽出する電池情報抽出手段と、
前記コンピュータの端末特性に関する情報及び電池特性に関する情報を記憶している特性情報記憶手段と、
前記電池情報及び前記特性情報記憶手段に記憶された情報に基づいて前記利用者の前記コンピュータの電池残量を算出する電池残量算出手段と、
前記電池残量を前記利用者に通知する電池残量通知手段と、
を有することを特徴とするトランシーバ。
【請求項４】
前記電池残量通知手段の代わりに、前記他のトランシーバに前記電池残量を送信する電池残量送信手段を有する請求項３記載のトランシーバ。
【請求項５】
送信すべき情報に基づく電界を電界伝達媒体に誘起させるとともにこの誘起した電界を検出して情報の送受信を行う第１及び第２のトランシーバを有し、利用者が備えているコンピュータの電池残量を通知する電池残量通知システムであって、
前記第１のトランシーバは、
前記第１のトランシーバに接続されている前記コンピュータの電池に関する電池情報を記憶している電池情報記憶手段と、
前記電池情報を前記第２のトランシーバに送信する電池情報送信手段と、
を有し、
前記第２のトランシーバは、
前記第１のトランシーバから受信した、前記電池情報を抽出する電池情報抽出手段と、
前記コンピュータの端末特性に関する情報及び電池特性に関する情報を記憶している特性情報記憶手段と、
前記電池情報及び前記特性情報記憶手段に記憶された情報に基づいて前記コンピュータの電池残量を算出する電池残量算出手段と、
前記電池残量を前記利用者に通知する電池残量通知手段と、
を有することを特徴とする電池残量通知システム。
【請求項６】
送信すべき情報に基づく電界を電界伝達媒体に誘起させるとともにこの誘起した電界を検出して情報の送受信を行う第１及び第２のトランシーバを有し、利用者が備えているコンピュータの電池残量を通知する電池残量通知システムであって、
前記第１のトランシーバは、
前記第１のトランシーバに接続されている前記コンピュータの電池に関する電池情報を記憶している電池情報記憶手段と、
前記電池情報を前記第２のトランシーバに送信する電池情報送信手段と、
前記第２のトランシーバから受信した電池残量を抽出する電池残量抽出手段と、
前記電池残量を利用者に通知する電池残量通知手段と、
を有し、
前記第２のトランシーバは、
前記第１のトランシーバから受信した、前記電池情報を抽出する電池情報抽出手段と、
コンピュータの端末特性に関する情報及び電池特性に関する情報を記憶している特性情報記憶手段と、
前記電池情報及び前記特性情報記憶手段に記憶された情報に基づいて前記コンピュータの電池残量を算出する電池残量算出手段と、
前記電池残量を前記第１のトランシーバに送信する電池残量送信手段と、
を有することを特徴とする電池残量通知システム。
【発明の詳細な説明】
【０００１】
【発明の属する技術分野】
本発明は、例えば、ウェアラブルコンピュータのデータ通信のために使用されるトランシーバ及び該トランシーバを有する電池残量通知システムに関し、特に、送信すべき情報に基づく電界を電界伝達媒体に誘起させるとともに電界伝達媒体に誘起された電界を検出して情報の送受信を行うトランシーバ及び該トランシーバを有する電池残量通知システムに関する。
【０００２】
【従来の技術】
携帯端末の小型化および高性能化によりウェアラブルコンピュータが注目されているが、図１３はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とＰＣ８間とのデータ通信に使用されるトランシーバ９は、例えば、図１４に示すような構成をしており、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【０００４】
尚、この出願に関連する先行技術文献情報としては、次のものがある。
【０００５】
【特許文献１】
特開２００１−３５２２９８公報
【０００６】
【発明が解決しようとする課題】
ところで、上記のようなトランシーバ９とウェアラブルコンピュータ７とを人間が装着する場合には、身につけているトランシーバ９及びウェアラブルコンピュータ７をその都度取り出し、操作して電池残量を確認するという利用形態は不便であり、そのため、ウェアラブルコンピュータ７が動作しなくなってから電池切れに気づくという不具合が考えられる。また、両者を一体化して物に組み込むような場合においては、外部から見えないことも考えられるため、従来のトランシーバ９ではウェアラブルコンピュータ７の電池の残量が分からないという課題がある。
【０００７】
本発明は、上記の事情を鑑みたものであり、送信すべき情報に基づく電界を電界伝達媒体に誘起させるとともに電界伝達媒体に誘起された電界を検出して情報の送受信を行うトランシーバを利用してコンピュータ間の通信を行う場合であっても、利用者が身につけたコンピュータの電池残量を利用者に的確に通知することができるトランシーバ及び該トランシーバを有する電池残量通知システムを提供することを目的とする。
【０００８】
【課題を解決するための手段】
上記目的を達成するため、請求項１記載の本発明は、送信すべき情報に基づく電界を電界伝達媒体に誘起させるとともにこの誘起した電界を検出して情報の送受信を行うトランシーバにおいて、前記トランシーバに接続されて、利用者が備えているコンピュータの電池に関する電池情報を記憶している電池情報記憶手段と、前記電池情報を基に電池残量を算出する他のトランシーバに前記電池情報を送信する電池情報送信手段と、を有することを要旨とする。
【０００９】
請求項１記載の本発明にあっては、送信すべき情報に基づく電界を電界伝達媒体に誘起させるとともにこの誘起した電界を検出して情報の送受信を行うトランシーバは、利用者が備えているコンピュータの電池に関する電池情報を電池残量を算出する他のトランシーバに送信する。これにより、電池情報を有するトランシーバと電池残量を算出するトランシーバ間において、電池情報のやりとりをすることができる。
【００１０】
請求項２記載の本発明は、請求項１記載の発明において、前記他のトランシーバから送信された前記コンピュータの前記電池残量を抽出する電池残量抽出手段と、前記電池残量を前記利用者に通知する電池残量通知手段と、を有することを要旨とする。
【００１１】
請求項２記載の本発明にあっては、トランシーバは、他のトランシーバから送信されたコンピュータの電池残量を抽出して、電池残量を利用者に通知する。これにより、利用者は、自己のコンピュータの電池残量を確認することができる。
【００１２】
請求項３記載の本発明は、送信すべき情報に基づく電界を電界伝達媒体に誘起させるとともにこの誘起した電界を検出して情報の送受信を行うトランシーバにおいて、利用者が備えているコンピュータの電池に関する電池情報を前記コンピュータに接続されている他のトランシーバから受信し、抽出する電池情報抽出手段と、前記コンピュータの端末特性に関する情報及び電池特性に関する情報を記憶している特性情報記憶手段と、前記電池情報及び前記特性情報記憶手段に記憶された情報に基づいて前記利用者の前記コンピュータの電池残量を算出する電池残量算出手段と、前記電池残量を前記利用者に通知する電池残量通知手段と、を有することを要旨とする。
【００１３】
請求項３記載の本発明にあっては、送信すべき情報に基づく電界を電界伝達媒体に誘起させるとともにこの誘起した電界を検出して情報の送受信を行うトランシーバは、コンピュータの電池に関する電池情報を他のトランシーバから受信し、抽出し、電池情報及び特性情報記憶手段に記憶された情報に基づいてコンピュータの電池残量を算出して、電池残量を利用者に通知する。これにより、利用者は、自己のコンピュータの電池残量を確認することができる。
【００１４】
請求項４記載の本発明は、請求項３記載の発明において、前記電池残量通知手段の代わりに、前記他のトランシーバに前記電池残量を送信する電池残量送信手段を有することを要旨とする。
【００１５】
請求項４記載の本発明にあっては、トランシーバは、他のトランシーバに電池残量を送信する。これにより、電池情報を有するトランシーバと電池残量を算出するトランシーバ間において、電池残量のやりとりをすることができる。
【００１６】
請求項５記載の本発明は、送信すべき情報に基づく電界を電界伝達媒体に誘起させるとともにこの誘起した電界を検出して情報の送受信を行う第１及び第２のトランシーバを有し、利用者が備えているコンピュータの電池残量を通知する電池残量通知システムであって、前記第１のトランシーバは、前記第１のトランシーバに接続されている前記コンピュータの電池に関する電池情報を記憶している電池情報記憶手段と、前記電池情報を前記第２のトランシーバに送信する電池情報送信手段と、を有し、前記第２のトランシーバは、前記第１のトランシーバから受信した、前記電池情報を抽出する電池情報抽出手段と、前記コンピュータの端末特性に関する情報及び電池特性に関する情報を記憶している特性情報記憶手段と、前記電池情報及び前記特性情報記憶手段に記憶された情報に基づいて前記コンピュータの電池残量を算出する電池残量算出手段と、前記電池残量を前記利用者に通知する電池残量通知手段と、を有することを要旨とする。
【００１７】
請求項５記載の本発明にあっては、第１のトランシーバは、コンピュータの電池に関する電池情報を第２のトランシーバに送信し、第２のトランシーバは、第１のトランシーバから受信した電池情報を抽出し、電池情報及び特性情報記憶手段に記憶された情報に基づいてコンピュータの電池残量を算出し、電池残量を利用者に通知する。これにより、利用者は、自己のコンピュータの電池残量を確認することができる。
【００１８】
請求項６記載の本発明は、送信すべき情報に基づく電界を電界伝達媒体に誘起させるとともにこの誘起した電界を検出して情報の送受信を行う第１及び第２のトランシーバを有し、利用者が備えているコンピュータの電池残量を通知する電池残量通知システムであって、前記第１のトランシーバは、前記第１のトランシーバに接続されている前記コンピュータの電池に関する電池情報を記憶している電池情報記憶手段と、前記電池情報を前記第２のトランシーバに送信する電池情報送信手段と、前記第２のトランシーバから受信した電池残量を抽出する電池残量抽出手段と、前記電池残量を利用者に通知する電池残量通知手段と、を有し、前記第２のトランシーバは、前記第１のトランシーバから受信した、前記電池情報を抽出する電池情報抽出手段と、コンピュータの端末特性に関する情報及び電池特性に関する情報を記憶している特性情報記憶手段と、前記電池情報及び前記特性情報記憶手段に記憶された情報に基づいて前記コンピュータの電池残量を算出する電池残量算出手段と、前記電池残量を前記第１のトランシーバに送信する電池残量送信手段と、を有することを要旨とする。
【００１９】
請求項６記載の発明にあっては、第１のトランシーバは、コンピュータの電池に関する電池情報を第２のトランシーバに送信し、第２のトランシーバは、第１のトランシーバから受信した電池情報を抽出し、電池情報及び特性情報記憶手段に記憶された情報に基づいてコンピュータの電池残量を算出し、電池残量を第１のトランシーバに送信し、第１のトランシーバは、第２のトランシーバから受信した電池残量を抽出し、電池残量を利用者に通知する。これにより、利用者は、自己のコンピュータの電池残量を確認することができる。
【００２０】
【発明の実施の形態】
以下、本発明の実施の形態を図面を用いて説明する。
【００２１】
（第１の実施の形態）
本発明の第１の実施形態に係る電池残量通知システム１００は、図１に示すように、利用者が身につけているウェアラブルコンピュータ３側のトランシーバ１とホストコンピュータ５側のトランシーバ２とを備えており、トランシーバ１がウェアラブルコンピュータ３に関する電池データ（電池情報）をトランシーバ２に送信し、トランシーバ２が該電池データ、端末特性データ、及び電池特性データに基づいて、電池残量を算出し、算出した電池残量を利用者に通知するようになっているコンピュータシステムである。尚、図２は、本発明の第１の実施形態に係るトランシーバ１の回路構成を示す図であり、図３は、本発明の第１の実施形態に係るトランシーバ２の回路構成を示す図であるが、トランシーバ１及び２は、それぞれ送信すべき情報に基づく電界を電界伝達媒体である生体に誘起させるとともに、生体に誘起された電界を検出して情報の送受信を行うようになっているため、生体４を介して相互に通信可能となっている。
【００２２】
トランシーバ１は、図２に示すように、コンピュータ３からの送信データを入出力（Ｉ／Ｏ）回路９０１を介して受け取ると、この送信データを送信部９０２を介して送受信電極９０３に供給し、該送受信電極９０３および絶縁膜９０４を介して生体４に電界を誘起させ、この電界を生体４の他の部位に伝達させるようになっている。また、生体４に誘起されて伝達されてくる電界を絶縁膜９０４を介して送受信電極９０３で検出し、この電界を電界検出光学部９０５に結合して電気信号に変換するようになっている。そして、この電気信号は、信号処理回路９０６で増幅、雑音除去などの信号処理を施され、更に波形整形回路９０７で波形整形されてから、入出力（Ｉ／Ｏ）回路９０１を介してコンピュータ３に出力されるようになっている。
【００２３】
また、トランシーバ１は、電池データ記憶部（電池情報記憶部）１０１と電池データ送信器１０２とを備えている。電池データ記憶部１０１は、利用者が身につけているウェアラブルコンピュータ３に関する電池データを記憶しているものであり、電池データ（電池情報）とは、より詳しくは、ウェアラブルコンピュータ３の端末種別、コンピュータに用いられている電池種別及び現在の電池電圧などを含んだ情報を意味している。尚、現在の電池電圧は、ウェアラブルコンピュータ３とのやりとりにより随時、電池データ記憶部１０１に取得できるようになっているものである。そして、電池データ送信器１０２が、該電池データを電池データ記憶部１０１から読み取り、ホストコンピュータ５側のトランシーバ２に送信すべく、送信部９０２に転送するようになっている。
【００２４】
次に、トランシーバ２について説明するが、本実施の形態のトランシーバ２については、トランシーバ１と異なる構成及び機能のみ説明し、その他の構成及び機能に関しては同一部分には同一符号を付して説明を省略する。
【００２５】
電池データ抽出器２０１は、受信部９１０で受信したトランシーバ１からの受信データのうち電池データを取り出して、残量算出器２０４に転送するものである。端末特性データ記憶部２０２及び電池特性データ記憶部２０３とは、ともに電池残量を計算する際に参照されるマスターデータを記憶しているものであり、端末特性データ記憶部２０２は、図４に示すように、端末の種類ごとに一回当たりの消費電力や時間当たりの消費電力に関する情報を記憶しているテーブルである。また、電池特性データ記憶部２０３は、図５に示すように、電池種類別の最大充電容量及び放電特性に関する情報を記憶しているテーブルである。
【００２６】
残量算出器２０４は、電池データ抽出器２０１から転送された電池データ、端末特性データ記憶部２０２に記憶されている端末特性データ、及び電池特性データ記憶部２０３に記憶されている電池特性データから電池の残量値を算出するものである。これは、ウェアラブルコンピュータ３の端末の種類及びウェアラブルコンピュータ３に用いられている電池の種類が分かれば、現在の電池電圧の値から電池の残量値（残り時間及び残り回数など、あとどれ位使えるかに関する情報）が算出されることを意味する。
【００２７】
残量通知器２０５は、算出された電池残量をメッセージに変えて利用者に通知するものであり、メッセージとは、例えば、音声、ディスプレイ表示、メール、紙への印字など伝達手段で実現されるもので、例えば、「あと３日で電池がなくなります」「あと５回程度の利用が可能です」などの内容を伝達する。
【００２８】
従って、電池残量通知システム１００は、トランシーバ１及び２により電界伝達媒体を介したコンピュータ間の一般通信に加えて、利用者が備えているウェアラブルコンピュータ３の電池データに関する通信も行うことができるようになっている。
【００２９】
次に、本実施の形態に係る電池残量通知システム１００の動作について、図６を用いて説明する。ここで、図６は、トランシーバ１とトランシーバ２間の電池データの通信のやりとりを説明するシーケンス図である。
【００３０】
まず、トランシーバ１とトランシーバ２間において生体４を介した通信が成立すると、トランシーバ１は電池データ記憶部１０１から電池データを取得する（ステップＳ１，Ｓ２）。次に、トランシーバ１は、該電池データを電池データ送信器１０２及び送信部９０２を介して、トランシーバ２に送信する（ステップＳ３）。
【００３１】
一方、トランシーバ２がトランシーバ１からの電池データを受信部９１０、電池データ抽出器２０１を介して受信すると、残量算出器２０４において、電池データ、並びに端末特性データ記憶部２０２及び電池特性データ記憶部２０３から取得した端末特性データ及び電池特性データに基づいて電池残量を算出する（ステップＳ４，Ｓ５）。そして、電池残量が算出されると、該電池残量を残量通知器２０５を介して利用者に通知する（ステップＳ６）。
【００３２】
従って、本実施の形態の電池残量通知システム１００によれば、トランシーバ１が有する電池データ及びトランシーバ２が有する端末特性データ及び電池特性データに基づいてウェアラブルコンピュータ３の電池残量をトランシーバ２が算出して通知してくれるので、利用者は、自己のウェアラブルコンピュータ３の電池残量を的確に把握することができる。また、ウェアラブルコンピュータ３に残量掲示部を組み込む必要がなく、より小型化することができるとともに、ウェアラブルコンピュータ３を外部から見えない箇所に組み込むことができる。
【００３３】
図７は、本実施の形態の電池残量通知システム１００を電子財布（ウェアラブルコンピュータ）を用いて自動販売機で商品を購入する場合に適用した例である。これによると、利用者が自動販売機の商品選択ボタンに触れると、電子財布と自動販売機間で生体を介した通信回路が成立し、電子財布に記憶されている所持金額から利用代金分の金額が自動的に支払われるようになっているので、商品購入手続を簡素化することができる。また、電子財布内のトランシーバから電池情報が自動販売機のトランシーバに送信されるようになっているので、自動販売機のトランシーバ内で算出された利用者の電子財布の電池残量を表示板を介して利用者に表示することが可能となっている。これにより、利用者は、商品を購入する際に残金の確認をするとともに、電池残量の確認をすることができる。
【００３４】
（第２の実施の形態）
本発明の第２の実施形態に係る電池残量通知システム２００は、図８に示すように、利用者が身につけているウェアラブルコンピュータ３側のトランシーバ１１とホストコンピュータ５側のトランシーバ１２とを備えており、トランシーバ１１がウェアラブルコンピュータ３に関する電池データをトランシーバ１２に送信し、トランシーバ２が該電池データ、端末特性データ、及び電池特性データに基づいて、電池残量を算出し、算出した結果をトランシーバ１１に送信し、トランシーバ１１が利用者に通知するようになっているコンピュータシステムである。尚、図９は、本発明の第２の実施形態に係るトランシーバ１１の構成を示す図であり、図１０は、本発明の第２の実施形態に係るトランシーバ１２の構成を示す図であるが、トランシーバ１１及び１２は、第１の実施の形態におけるトランシーバ１及び２と同様に、それぞれ送信すべき情報に基づく電界を電界伝達媒体である生体に誘起させるとともに、生体に誘起された電界を検出して情報の送受信を行うようになっているため、生体４を介して相互に通信可能となっている。尚、本実施の形態においては、第１の実施の形態と異なる構成及び機能のみ説明し、その他の構成及び機能に関しては同一部分には同一符号を付して説明を省略する。
【００３５】
トランシーバ１２における残量送信器２０６は、残量算出器２０４で算出された電池残量をトランシーバ１１に送信すべく、送信部９０２に転送するものである。
【００３６】
トランシーバ１１における残量抽出器１０３は、受信部９１０で受信した受信データのうち電池残量を取り出し、残量通知器１０４に転送するものである。残量通知器１０４は、電池残量を受け取ると、電池残量をメッセージに変えて利用者に通知するものであり、メッセージとは、例えば、音声、ディスプレイ表示、メール、紙への印字など伝達手段で実現されるもので、例えば、「あと３日で電池がなくなります」「あと５回程度の利用が可能です」などの内容を伝達する。
【００３７】
従って、電池残量通知システム２００は、トランシーバ１１及び１２により電界伝達媒体を介したコンピュータ間の一般通信に加えて、利用者が備えているウェアラブルコンピュータ３の電池データ及び電池残量に関する通信も行うことができるようになっている。
【００３８】
次に、本実施の形態に係る電池残量通知システム２００の動作について、図１１を用いて説明する。ここで、図１１は、トランシーバ１１とトランシーバ１２間の電池データ及び電池残量の通信のやりとりを説明するシーケンス図である。
【００３９】
まず、トランシーバ１１とトランシーバ１２間において生体４を介した通信が成立すると、トランシーバ１１は電池データ記憶部１０１から電池データを取得する（ステップＳ１１，Ｓ１２）。次に、トランシーバ１１は、該電池データを電池データ送信器１０２及び送信部９０２を介して、トランシーバ１２に送信する（ステップＳ１３）。
【００４０】
一方、トランシーバ１２がトランシーバ１１からの電池データを受信部９１０、電池データ抽出器２０１を介して受信、抽出すると、残量算出器２０４において、電池データ、並びに端末特性データ記憶部２０２及び電池特性データ記憶部２０３から取得した端末特性データ及び電池特性データに基づいて電池残量を算出する（ステップＳ１４，Ｓ１５）。そして、電池残量が算出されると、残量送信器２０６、送信部９０２を介して電池残量をトランシーバ１１に送信する（ステップ１６）。
【００４１】
次に、トランシーバ１１が受信部９１０、残量抽出器１０３を介して電池残量データを受信、抽出すると、残量通知器１０４を介して電池残量を利用者に通知する（ステップＳ１７，Ｓ１８）。
【００４２】
従って、本実施の形態の電池残量通知システム２００によれば、トランシーバ１１が有する電池データ及びトランシーバ１２が有する端末特性データ及び電池特性データに基づいてウェアラブルコンピュータ３の電池残量をトランシーバ１２が算出し、トランシーバ１１が通知してくれるので、利用者は、自己のウェアラブルコンピュータ３の電池残量を的確に把握することができる。また、トランシーバ１１の通知機能を音声などで実現すれば、ウェアラブルコンピュータ３に残量掲示部を組み込む必要がなく、より小型化することができるとともに、ウェアラブルコンピュータ３を外部から見えない箇所に組み込むことができる。
【００４３】
図１２は、本実施の形態の電池残量通知システム２００を電子鍵（ウェアラブルコンピュータ）を用いて自動車の鍵の開錠及び施錠をする場合に適用した例である。これは、利用者が自動車に触れると生体を介した通信回路が成立し、電子鍵から鍵情報が送信され、自動車の鍵が開いたり、閉まったりするコンピュータシステムであるが、この際に、電池データも送信され、自動車側で電池残量を算出し、電子鍵に電池残量を送信するものである。これにより、自動車の鍵の開錠及び施錠を簡素化でき、セキュリティを高めることができるとともに、電子鍵は音声メッセージ（例えば、「あと５回の利用で電池が切れます」など）で残り利用回数を利用者に伝えるので、利用者は電池残量の確認をすることができる。
【００４４】
以上、本発明の実施の形態について説明してきたが、本発明の要旨を逸脱しない範囲において、本発明の実施の形態に対して種々の変形や変更を施すことができる。例えば、上記実施の形態の電池残量通知システム１００及び２００においては、ウェアラブルコンピュータの端末特性及びウェアラブルコンピュータに用いられる電池の電池特性から電池残量を算出したが、本発明はこれに限定されるわけではなく、これに加えて、他の要素、例えば、過去の使用履歴に関する情報を蓄えて、利用者の使用頻度がある程度予測されるなら、この使用頻度を加味して電池残量を算出することも可能である。
【００４５】
【発明の効果】
以上説明したように、本発明によれば、送信すべき情報に基づく電界を電界伝達媒体に誘起させるとともに電界伝達媒体に誘起された電界を検出して情報の送受信を行うトランシーバを利用してコンピュータ間の通信を行う場合であっても、利用者が身につけたコンピュータの電池残量を利用者に的確に通知することができる。
【図面の簡単な説明】
【図１】本発明の第１の実施の形態に係る電池残量通知システムの概略構成図である。
【図２】本発明の第１の実施の形態に係るウェアラブルコンピュータ側のトランシーバの回路構成図である。
【図３】本発明の第１の実施の形態に係るホストコンピュータ側のトランシーバの回路構成図である。
【図４】本発明の第１の実施の形態に係る端末特性データ記憶部を説明する図である。
【図５】本発明の第１の実施の形態に係る電池特性データ記憶部を説明する図である。
【図６】本発明の第１の実施の形態に係る電池残量通知システムの動作を説明するシーケンス図である。
【図７】本発明の第１の実施の形態に係る電池残量通知システムを電子財布に適用する場合の説明図である。
【図８】本発明の第２の実施の形態に係る電池残量通知システムの概略構成図である。
【図９】本発明の第２の実施の形態に係るウェアラブルコンピュータ側のトランシーバの回路構成図である。
【図１０】本発明の第２の実施の形態に係るホストコンピュータ側のトランシーバの回路構成図である。
【図１１】本発明の第２の実施の形態に係る電池残量通知システムの動作を説明するシーケンス図である。
【図１２】本発明の第２の実施の形態に係る電池残量通知システムを自動車の鍵に適用する場合の説明図である。
【図１３】トランシーバを介してウェアラブルコンピュータを人間に装着して使用する場合の例を示す説明図である。
【図１４】従来のトランシーバの回路構成を示すブロック図である。
【符号の説明】
１，２，９，１１，１２  トランシーバ
３  ウェアラブルコンピュータ
４  生体
５  ホストコンピュータ
７  コンピュータ
８  ＰＣ
１００，２００  電池残量通知システム
１０１  電池データ記憶部
１０２  電池データ送信器
１０３  残量抽出器
１０４  残量通知器
２０１  電池データ抽出器
２０２  端末特性データ記憶部
２０３  電池特性データ記憶部
２０４  残量算出器
２０５  残量通知器
２０６  残量送信器
９０１  Ｉ／Ｏ回路
９０２  送信部
９０３  送受信電極
９０４  絶縁膜
９０５  電界検出光学部
９０６  信号処理回路
９０７  波形整形回路
【図１】
2004266518.tif 000003
【図２】
2004266518.tif 000004
【図３】
2004266518.tif 000005
【図４】
2004266518.tif 000006
【図５】
2004266518.tif 000007
【図６】
2004266518.tif 000008
【図７】
2004266518.tif 000009
【図８】
2004266518.tif 000010
【図９】
2004266518.tif 000011
【図１０】
2004266518.tif 000012
【図１１】
2004266518.tif 000013
【図１２】
2004266518.tif 000014
【図１３】
2004266518.tif 000015
【図１４】
2004266518.tif 000016